(57)【要約】      （修正有）【課題】ペンとキーボードとを併用する場合における、ペンによる入力操作と、キーボードによる入力操作の切り替えを速やかに行える指に装着するペン保持具を提供する。【解決手段】指に装着可能なホルダ２と、ペンに装着された或いは着脱可能な吸着具３とを、磁石４を介して取り付け、磁石を指に装着したホルダに沿って移動させることによって、吸着具を備えたペンを手の甲側から手のひら側或いは手のひら側から手の甲側に移動できるようにし、ペンによる入力操作とキーボードによる入力操作を短時間で切り換えられるようにした。【選択図】図１
0003204986.tif 000002
【実用新案登録請求の範囲】
【請求項１】
指に装着可能なホルダと、磁石と、ペンに装着された又は脱着可能な磁性体の吸着具を備え、
前記ホルダと吸着具を前記磁石で吸着することによりペンを磁石に吸着することができ、
前記磁石を介してホルダに吸着されたペンが当該ホルダに沿って、手の甲側から手のひら側に、又は手のひら側から手の甲側に移動可能である、
ことを特徴とするペン保持具。
【請求項２】
請求項１記載のペン保持具において、
ホルダが指に嵌めることのできるリング状又は略リング状である、
ことを特徴とするペン保持具。
【請求項３】
請求項１又は請求項２記載のペン保持具において、
磁石が球状であり、ホルダにスライド可能に吸着されている、
ことを特徴とするペン保持具。
【請求項４】
請求項１から請求項３のいずれか１項に記載のペン保持具において、
磁石がネオジウム磁石である、
ことを特徴とするペン保持具。
【請求項５】
請求項１から請求項４のいずれか１項に記載のペン保持具において、
吸着具がペンクリップであり、ペンに接近する方向への弾性が付勢されている、
ことを特徴とするペン保持具。
【請求項６】
請求項１から請求項５のいずれか１項に記載のペン保持具において、
ペンがスタイラスペンである、
ことを特徴とするペン保持具。
【請求項７】
請求項１から請求項６のいずれか１項に記載のペン保持具において、
ホルダが磁性体であり、身体の一部に掛けることのできる紐状体に磁石を介して吸着、離脱可能である、
ことを特徴とするペン保持具。
【考案の詳細な説明】
【技術分野】
【０００１】
本考案は、スタイラスペンのようなペン型の入力装置や、鉛筆、シャープペンシル、ボールペンといった各種筆記具（本願において、これらをまとめて「ペン」という）を指に保持することのできるペン保持具に関する。
【背景技術】
【０００２】
近年、画面タッチ型のタブレット型端末が広く一般に普及しており、その数はノート型パソコン（ノート型ＰＣ）の流通台数を上回るとまで言われている。タブレット型端末にはタッチパネルを採用しているものが多く、入力操作は手で直接画面を触れることによって行われるほか、スタイラスペン（例えば、特許文献１）のような入力デバイスによって行われる。スタイラスペンには様々な形状、構造、機能のものがある。また、端末機にもスタイラスペンの筆圧を検知してデータ入力できるもの、入力画面へのスタイラスペンの接触姿勢（入力画面へのペンの接触面積）を検知してデータ入力できるもの等も流通し始めている。
【０００３】
入力デバイスとして前述したような高性能なスタイラスペンが流通し始めている一方、メールや文章作成には未だキーボードタイプの入力デバイス（画面表示のキーボードも含む）の利便性が高いことから、スタイラスペンによる入力操作とキーボードによる入力操作の両方を併用している人も少なくない。
【０００４】
スタイラスペンとキーボードの双方を使用する場合、スタイラスペン使用時にキーボードを使うためにはスタイラスペンを一旦、机上や書類の上に置かなければならず、キーボード使用時にスタイラスペンを使うためには、机上や書類の上に置いたスタイラスペンを持ちなおさなければならない。このスタイラスペンの「一旦置く」「持ちなおす」という動作が頻繁に繰り返されることになると、スムーズな作業の妨げになることがあり、煩わしさやストレスを感じることも少なくない。
【０００５】
前記課題に対しては、指先に装着可能な指輪等に、画面にタッチする棒状の入力手段（スタイラス部）が設けられたスタイラスペンが提案されている（特許文献２）。
【先行技術文献】
【特許文献】
【０００６】
【特許文献１】特開２０１２−０５３６８１号公報
【特許文献２】特開平１１−１３４１０３号公報
【考案の概要】
【考案が解決しようとする課題】
【０００７】
前記特許文献２のスタイラスペンによれば、「一旦置く」「持ちなおす」という動作の手間を解消することはできるが、前記スタイラス部が常に装着した指の先方を向くように構成されているため、キーボードでの入力時に、スタイラス部がキーボードに当たって所望キーを指で押せないとか、スタイラス部で他のキーを押して誤入力するといった難点がある。
【０００８】
本考案の解決課題は、スタイラスペンや筆記具などのペンとキーボードとを併用する場合に、ペンの「一旦置く」「持ちなおす」という動作をなくして、ペンによる入力操作（例えば、カーソル位置の指定等）と、キーボードによる入力操作の切り替えを速やかに行えるようにすることにある。
【課題を解決するための手段】
【０００９】
本考案のペン保持具は、指に装着可能なホルダと、ペンに装着された或いは着脱可能な吸着具とを、磁石を介して取り付け、当該ペンを指に装着したホルダに沿って移動させることによって、そのペンを手の外側（手の甲側）から手の内側（手のひら側）或いは手のひら側から手の甲側に移動できるものである。
【考案の効果】
【００１０】
本考案のペン保持具は、ペンを手の甲側から手のひら側或いはその逆に移動できるため、ペンによる入力操作とキーボードによる入力操作とを迅速に切り換えることができ、入力作業の効率を格段に向上させることができる。また、従来必要であったペンを「一旦置く」「持ちなおす」という動作が不要であるため、当該動作によって煩わしさやストレスを感じることもない。
【図面の簡単な説明】
【００１１】
【図１】本考案のペン保持具とその使い方の一例を示すものであって、ペン保持具で保持したスタイラスペンで入力操作を行う場合の説明図。
【図２】本考案のペン保持具とその使い方の一例を示すものであって、ペン保持具で保持したスタイラスペンを手の甲側に移動させてキーボードで入力操作を行う場合の説明図。
【図３】本考案におけるホルダの一例を示すものであって、（ａ）は外周に細溝を形成した場合のホルダの説明図、（ｂ）は外周に凹状溝を形成したホルダの説明図、（ｃ）は外周を平面状としたホルダの説明図。
【図４】本考案における吸着具の一例を示すものであって、吸着具をスタイラスペンに装着する前の状態を示す説明図。
【図５】本考案における磁石の一例を示すものであって、（ａ）は磁石を球状とした場合の説明図、（ｂ）は磁石を円柱状とした場合の説明図、（ｃ）は磁石を角柱状とした場合の説明図、
【図６】本考案のペン保持具を携帯用具に取り付けた状態の説明図。
【考案を実施するための形態】
【００１２】
（実施形態）
本考案のペン保持具１の一例を、図面を参照して説明する。本考案におけるペンＡには、スタイラスペンのようなペン型の入力装置や、鉛筆、シャープペンシル、ボールペンといった各種筆記具が含まれるが、ここでは、ペンＡがスタイラスペンの場合を一例として説明する。
【００１３】
一例として図１及び図２に示すペン保持具１は、指に装着するリング状のホルダ２と、ペンＡに着脱可能なクリップ状の吸着具３と、ホルダ２及び吸着具３に吸着する磁石４を備えたものである。ホルダ２と吸着具３は、磁石４に吸着する性質を有する素材で構成されている。本考案のペン保持具１は、例えば図６に示すような携帯用具５などに吸着して持ち運ぶことができる。
【００１４】
［ホルダ］
前記ホルダ２は、使用者の指に装着可能な内径のリング状部材である。一例として図１、図２及び図３（ａ）に示すホルダ２は正面視円形のリング状であり、外周に細溝６が形成されている。細溝６は、球状の磁石４がホルダ２に沿って移動する際のガイドとして機能する。この実施形態のホルダ２は、人差し指、具体的には、人差し指の第二関節（ＰＩＰ関節）よりも根元側に装着できるサイズのものであるが、人によって指の太さは区々であるため、ホルダ２は複数サイズを用意するのが好ましい。いずれの場合も、第一関節（ＤＩＰ関節）よりも根元側、より好ましくは、第２関節よりも根元側に装着できるサイズとするのが好ましい。このような位置に装着できるようにすることで、使用時に不用意に抜け落ちるとか、キーボードＫでの入力時にペンＡがキーボードＫ側に落ちて誤入力するといった不都合が生じにくい。
【００１５】
図３（ａ）に示す例は一例であり、ホルダ２はこれ以外の構造とすることもできる。具体的には、図３（ｂ）のように、外周に磁石４と同じＲの凹状溝１０を形成したものや、図３（ｃ）のように、外周を平面状としたもの等とすることができる。前者は磁石４が図５（ａ）のような球状の場合に、後者は、磁石が図５（ｂ）のような円柱状や図５（ｃ）のような角柱等の場合に適する構造である。外周に磁石４と同じＲの凹状溝１０を形成した場合、磁石４が吸着した際に、当該磁石４とホルダ２の外周が多点接触、線接触、又は面接触して、両者が不用意に外れにくくなる。また、外周を平面とした場合、磁石４が吸着した際に、当該磁石とホルダの外周が線接触又は面接触して、両者が外れにくくなる。
【００１６】
前記ホルダ２は使用時に指から外れない形状であれば、一部が途切れた略リング状のもの等、図示した以外の形状であってもよい。
【００１７】
［吸着具］
前記吸着具３は、ペンＡに装着するものであり、既存のボールペンやシャープペンシルに設けられたクリップに相当するものである。一例として図４に示す吸着具３は、ペンＡの外側に被せる取付け部３ａと当該取付け部３ａと一体に設けられた係止部３ｂを備えている。取付け部３ａはペンＡの外周よりもやや内径の小さなリング状であり、一部に切欠き部３ｃが設けられている。吸着具３は、ペンＡの外側に取付け部３ａを被せるときは外向きに広がり（拡径し）、一旦被せると内向きに働く付勢力によってペンＡに密着するようにしてある。
【００１８】
前記係止部３ｂはペンの長さ方向に細長の薄片である。ペンＡに装着した吸着具３の係止部３ｂをタブレット型端末のカバー（図示しない）やジャケットのポケットなどに引っ掛けることによって、ペンＡを当該カバーやポケットに係止することができる。係止部３ｂはバネ性を備えており、フリーになっている側の端部をペンＡから離れる方向に動かすことができる。係止部３ｂがバネ性を備えているため、当該係止部３ｂに吸着した磁石に対してペンＡから離れる方向の外力が加わっても、係止部３ｂが磁石の動きに追従し、磁石４から離れにくい。
【００１９】
前記実施形態では、吸着具３の全体が強磁性体で構成されている場合を一例としているが、磁石４やホルダ２が吸着する部分が強磁性体であればよく、それ以外の部分は樹脂等の他の材質製とすることもできる。
【００２０】
なお、吸着具３は必要に応じて設ければよく、ペンＡにペンクリップ等が設けられている場合は、当該ペンクリップを吸着具３として代用することができる。
【００２１】
［磁石］
前記磁石４は、ホルダ２と吸着具３の間に介在して両者を吸着させるものである。一例として図１、図２及び図５（ａ）に示す磁石４は、球状のネオジウム磁石（ネオジム磁石）である。図示するネオジウム磁石はφ８ｍｍのものであるが、磁石４はこれ以外の径のものでもよい。本考案のペン保持具では、吸着具３を備えたペンＡを回すことによって手のひら側から手の甲側へ移動させるため、磁力の弱い磁石ではペンＡを回すときに磁石から外れて落下するおそれがある。これに対して、ネオジウム磁石は磁束密度が高く、他の磁石に比べて磁力が強いため、ペンＡを回してもペンＡが磁石４から外れて落下することはほとんどない。特に、球状のネオジウム磁石の場合は方向性がなく外れにくい。
【００２２】
前記磁石４はホルダ２の外周面に吸着され、この吸着状態で、当該ホルダ２の外周に沿って移動できるようにしてある。この実施形態では、ホルダ２の外周に細溝６が形成されているため、当該細溝６をガイドとしてホルダ２の外周を正確に移動させることができる。また、磁石４は前記吸着具３の係止部３ｂに吸着され、この吸着状態で、係止部３ｂの長手方向に沿って移動できるようにしてある。
【００２３】
［携帯用具］
前記携帯用具５は、本考案のペン保持具１を吸着して保持できるものである。一例として図６に示す携帯用具５は、首にかけられる長さの紐状体７と吸着部材８を備えたものである。図６の例では、吸着部材８は紐状体７に取り付けられた係止具９に吊り下げられているが、係止具９を省略して直接紐状体７に吊り下げてもよい。
【００２４】
図６に示す紐状体７は既存のチェーンであるが、各種材質の紐等で代用することもできる。紐状体７の長さは首に掛けられる長さにかぎらず、手首に掛けられる程度の長さ等とすることもできる。紐状体７に代えて、キーホルダーなどに用いられる既存のリング部材吸着部材８を取り付けて携帯用具５とすることもできる。
【００２５】
前記吸着部材８は、前記係止具９の係止リング部９ａに係止する係止部８ａと当該係止部８ａの下側に設けられた吸着部８ｂを備えている。吸着部８ｂは磁石４に吸着可能な材質で構成されている。吸着部８ｂは一部でも磁石４に吸着すればよいため、底面（吸着面）８ｃのみを磁石４に吸着可能な材質とし、他の部分を他の材質としてもよい。吸着面８ｃは球状の磁石４が面接触するように、磁石４と同じＲの球面状に窪ませておくこともできる。
【００２６】
前記吸着部８ｂの磁力は、ホルダ２の磁力よりも弱くしてあり、磁石４にホルダ２と吸着部８ｂが吸着している状態で、当該ホルダ２を吸着部８ｂから引き離す方向（図６の下矢印方向）に引っ張ると、磁石４がホルダ２側に吸着したまま吸着部８ｂから外れるようにしてある。このようにすることで、携帯用具５に保持されたペン保持具１をその携帯用具５から取り外す際に、ホルダ２を引っ張ればホルダ２と磁石４との双方がとり外れるため、指装具２と磁石４とを別々に取り外さなければならないような手間がない。なお、携帯用具５は本考案のペン保持具１を携行する際の一手段であり、ペン保持具１はこれ以外の手段で携行することもできる。
【００２７】
（使用例）
本考案のペン保持具１の使用例を、図１及び図２を参照して説明する。図１及び図２に示す使用例は、スタイラスペンＡによる入力操作とキーボードＫによる入力操作を併用する場合の例である。
（１）磁石４が吸着したホルダ２を人差し指に装着する。磁石４は人差し指に装着した後に吸着させることもできる。場合によっては、スタイラスペンＡに吸着させておくこともできる。
（２）吸着具３が装着されたスタイラスペンＡの係止部３ｂに磁石４を吸着させる。
（３）この状態で、スタイラスペンＡを図１のように保持することで、スタイラスペンＡでの入力操作を行うことができる。
（４）前記（３）の状態からキーボードＫでの入力に移るときは、保持しているスタイラスペンＡを離して人差し指や中指の外側を通るように、或いは、親指の外側を通るように回転させて手の外側（図２の位置）まで移動させる。スタイラスペンＡを手の裏側へ移動させることで、スタイラスペンＡが邪魔になることなく、キーボードＫでの入力を行うことができる。
（５）反対に、前記（４）の状態から再びスタイラスペンＡでの入力を行うときは、スタイラスペンＡを中指や人差し指側の外側を通るように、或いは親指の外側を通るように戻り回転させて手の内側（図１の位置）まで移動させてこれを保持する。スタイラスペンＡを戻り回転させて保持することで、再びスタイラスペンＡでの入力を行うことができる。
【００２８】
本考案のペン保持具１は、ホルダ２と吸着具３とが磁石４の磁力で吸着されているため、前記（１）〜（５）の間、スタイラスペンＡから手を離しても当該スタイラスペンＡが落下することはない。
【００２９】
なお、前記使用例では、ホルダ２を右手の人差し指に装着する場合を一例として説明しているが、左手に装着する場合や人差し指以外の指に装着する場合も同じ要領で使用することができる。
【産業上の利用可能性】
【００３０】
本考案のペン保持具１は、スタイラスペンのほか、鉛筆、シャープペンシル、ボールペンといった各種筆記具を保持するものとしても使用することができる。また、タブレット型端末の使用時に限らず、ノートパソコンやデスクトップパソコンなど、キーボードＫとペンＡを併用するような場合にも使用することができる。
【符号の説明】
【００３１】
１    ペン保持具
２    ホルダ
３    吸着具
３ａ  取付け部
３ｂ  係止部
３ｃ  切欠き部
４    磁石
５    携帯用具
６    細溝
７    紐状体
８    吸着部材
８ａ  係止部
８ｂ  吸着部
８ｃ  底面（吸着面）
９    係止具
９ａ  係止リング部
１０  凹状溝
Ａ    ペン
Ｋ    キーボード
【図１】
0003204986.tif 000003
【図２】
0003204986.tif 000004
【図３】
0003204986.tif 000005
【図４】
0003204986.tif 000006
【図５】
0003204986.tif 000007
【図６】
0003204986.tif 000008